(57)【要約】  ノイズ除去システムは、ノイズセンサから受信されたノイズ信号に基づいてノイズ除去信号を生成するように構成されたノイズ除去フィルタと、所定の体積内の第１の位置に配設され、ノイズ除去信号を受信し、所定の体積内のノイズ除去オーディオ信号を変換するように構成されたアクチュエータと、所定の体積内の第２の位置に配設され、基準センサ信号を出力するための基準センサであって、基準センサ信号が、第２の位置における望ましくないノイズを表す、基準センサと、ノイズ除去信号及び基準センサ信号をフィルタ処理してフィルタ出力信号を出力するように構成されたフィルタであって、フィルタ出力信号が、第１の位置及び第２の位置から離れた第３の位置における望ましくないノイズの推定を表す、フィルタと、ノイズ除去オーディオ信号が第３の位置における望ましくないノイズと破壊的に干渉するように、ノイズ除去フィルタをフィルタ出力信号に基づいて調整するように構成された調整モジュールと、を含む。
2021535435.tif 000002
【特許請求の範囲】
【請求項１】
ノイズ除去システムであって、
ノイズセンサから受信されたノイズ信号に基づいてノイズ除去信号を生成するように構成されたノイズ除去フィルタと、
所定の体積内の第１の位置に配設され、前記ノイズ除去信号を受信し、前記所定の体積内のノイズ除去オーディオ信号を変換するように構成されたアクチュエータと、
前記所定の体積内の第２の位置に配設され、基準センサ信号を出力するための基準センサであって、前記基準センサ信号が、前記第２の位置における望ましくないノイズを表す、基準センサと、
前記ノイズ除去信号及び前記基準センサ信号をフィルタ処理してフィルタ出力信号を出力するように構成されたフィルタであって、前記フィルタ出力信号が、前記第１の位置及び前記第２の位置から離れた第３の位置における前記望ましくないノイズの推定を表す、フィルタと、
前記ノイズ除去オーディオ信号が前記第３の位置における前記望ましくないノイズと破壊的に干渉するように、前記ノイズ除去フィルタを前記フィルタ出力信号に基づいて調整するように構成された調整モジュールと、
を備える、ノイズ除去システム。
【請求項２】
前記フィルタ出力信号が、前記第１の位置と前記第３の位置との間の関係の推定に基づき、前記第２の位置と前記第３の位置との間の関係の推定に基づく、請求項１に記載のノイズ除去システム。
【請求項３】
前記フィルタが、前記第２の位置と前記第３の位置との間の関係を推定するように構成された第１のフィルタを備え、前記第１のフィルタが、前記基準センサ信号を受信してフィルタ処理し、第１のフィルタ出力信号を出力するように構成され、前記第１のフィルタ出力信号が、前記第３の位置における前記望ましくないノイズの推定である、請求項１に記載のノイズ除去システム。
【請求項４】
前記フィルタが、前記第１の位置と前記第３の位置との間の関係を推定するように構成された第２のフィルタを更に備え、前記第２のフィルタが、前記ノイズ除去信号を受信してフィルタ処理し、第２のフィルタ出力信号を出力するように構成され、前記第２のフィルタ出力信号が、前記第３の位置における前記ノイズ除去オーディオ信号の推定であり、前記第２のフィルタ出力信号は、前記第１のフィルタ出力信号及び前記第２のフィルタ出力信号が加算されたときに、前記基準センサにおいて受信された前記ノイズ除去オーディオ信号に基づいて、前記第１のフィルタ出力信号の一部分を除去するように構成されている、請求項３に記載のノイズ除去システム。
【請求項５】
前記フィルタが、前記第３の位置における前記望ましくないノイズの推定が、未来の時点における前記第３の位置における前記望ましくないノイズの推定になるような、少なくとも１つの予測フィルタを備える、請求項１に記載のノイズ除去システム。
【請求項６】
前記少なくとも１つの予測フィルタがウィーナフィルタである、請求項５に記載のノイズ除去システム。
【請求項７】
非一時的記憶媒体に記憶されたプログラムコードであって、プロセッサによって実行されたときに、
ノイズ除去フィルタを用いて、ノイズセンサから受信されたノイズ信号に基づいてノイズ除去信号を生成する工程と、
前記所定の体積内のノイズ除去オーディオ信号を変換するための、第１の位置に配設されたアクチュエータに前記ノイズ除去信号を提供する工程と、
前記所定の体積内の第２の位置に配設された基準センサから基準センサ信号を受信する工程であって、前記基準センサ信号が、前記第２の位置における望ましくないノイズを表す、受信する工程と、
フィルタを用いて、前記ノイズ除去信号及び前記基準センサ信号をフィルタ処理してフィルタ出力信号を出力する工程であって、前記フィルタ出力信号が、前記第１の位置及び前記第２の位置から離れた第３の位置における前記望ましくないノイズの推定を表す、出力する工程と、
前記ノイズ除去オーディオ信号が前記第３の位置における前記望ましくないノイズと破壊的に干渉するように、前記ノイズ除去フィルタを前記フィルタ出力に基づいて調整する工程と、
を含む、プログラムコード。
【請求項８】
前記フィルタ出力信号が、前記第１の位置と前記第３の位置との間の関係の推定に基づき、前記第２の位置と前記第３の位置との間の関係の推定に基づく、請求項７に記載のプログラムコード。
【請求項９】
前記フィルタが、前記第２の位置と前記第３の位置との間の関係を推定するように構成された第１のフィルタを備え、前記第１のフィルタが、前記基準センサ信号を受信してフィルタ処理し、第１のフィルタ出力信号を出力するように構成され、前記第１のフィルタ出力信号が、前記第３の位置における前記望ましくないノイズの推定である、請求項７に記載のプログラムコード。
【請求項１０】
前記フィルタが、前記第１の位置と前記第３の位置との間の関係を推定するように構成された第２のフィルタを更に備え、前記第２のフィルタが、前記ノイズ除去信号を受信してフィルタ処理し、第２のフィルタ出力信号を出力するように構成され、前記第２のフィルタ出力信号が、前記第３の位置における前記ノイズ除去オーディオ信号の推定であり、前記第２のフィルタ出力信号は、前記第１のフィルタ出力信号及び前記第２のフィルタ出力信号が加算されたときに、前記基準センサにおいて受信された前記ノイズ除去オーディオ信号に基づいて、前記第１のフィルタ出力信号の一部分を除去するように構成されている、請求項９に記載のプログラムコード。
【請求項１１】
前記フィルタが、前記第３の位置における前記望ましくないノイズの推定が、未来の時点における前記第３の位置における前記望ましくないノイズの推定になるような、少なくとも１つの予測フィルタを備える、請求項７に記載のプログラムコード。
【請求項１２】
前記少なくとも１つの予測フィルタがウィーナフィルタである、請求項７に記載のプログラムコード。
【請求項１３】
ノイズ除去方法であって、
ノイズ除去フィルタを用いて、ノイズセンサから受信されたノイズ信号に基づいてノイズ除去信号を生成する工程と、
所定の体積内のノイズ除去オーディオ信号を変換するための、第１の位置に配設されたアクチュエータに前記ノイズ除去信号を提供する工程と、
前記所定の体積内の第２の位置に配設された基準センサから基準センサ信号を受信することであって、前記基準センサ信号が、前記第２の位置における望ましくないノイズを表す、受信する工程と、
フィルタを用いて、前記ノイズ除去信号及び前記基準センサ信号をフィルタ処理してフィルタ出力信号を出力する工程であって、前記フィルタ出力信号が、前記第１の位置及び前記第２の位置から離れた第３の位置における前記望ましくないノイズの推定を表す、出力する工程と、
前記ノイズ除去オーディオ信号が前記第３の位置における前記望ましくないノイズと破壊的に干渉するように、前記ノイズ除去フィルタを前記フィルタ出力に基づいて調整する工程と、
を含む、ノイズ除去方法。
【請求項１４】
前記フィルタ出力信号が、前記第１の位置と前記第３の位置との間の関係の推定に基づき、前記第２の位置と前記第３の位置との間の関係の推定に基づく、請求項１３に記載の方法。
【請求項１５】
前記フィルタが、前記第２の位置と前記第３の位置との間の関係を推定するように構成された第１のフィルタを備え、前記第１のフィルタが、前記基準センサ信号を受信してフィルタ処理し、第１のフィルタ出力信号を出力するように構成され、前記第１のフィルタ出力信号が、前記第３の位置における前記望ましくないノイズの推定である、請求項１３に記載の方法。
【請求項１６】
前記フィルタが、前記第１の位置と前記第３の位置との間の関係を推定するように構成された第２のフィルタを更に備え、前記第２のフィルタが、前記ノイズ除去信号を受信してフィルタ処理し、第２のフィルタ出力信号を出力するように構成され、前記第２のフィルタ出力信号が、前記第３の位置における前記ノイズ除去オーディオ信号の推定であり、前記第２のフィルタ出力信号は、前記第１のフィルタ出力信号及び前記第２のフィルタ出力信号が加算されたときに、前記基準センサにおいて受信された前記ノイズ除去オーディオ信号に基づいて、前記第１のフィルタ出力信号の一部分を除去するように構成されている、請求項１５に記載の方法。
【請求項１７】
前記フィルタは、前記第３の位置における前記望ましくないノイズの推定が、未来の時点における前記第３の位置における前記望ましくないノイズの推定になるような、少なくとも１つの予測フィルタを備える、請求項１３に記載の方法。
【請求項１８】
前記少なくとも１つの予測フィルタがウィーナフィルタである、請求項１７に記載の方法。
【請求項１９】
構成中に、前記第３の位置に配置された誤差センサからの誤差信号を使用して前記フィルタを調節する工程を更に含む、請求項１１に記載の方法。
【請求項２０】
前記誤差信号が、前記アクチュエータにおいて生成されたオーディオ信号に応答して生成される、請求項１９に記載の方法。
【発明の詳細な説明】
【技術分野】
【０００１】
本開示は、概して、基準センサから離れた位置における望ましくないノイズを表す誤差信号を最小化するシステム及び方法に関する。
【発明の概要】
【課題を解決するための手段】
【０００２】
下記で言及される全ての例及び特徴は、技術的に可能な任意の方式で組み合わせることができる。
【０００３】
一態様では、ノイズ除去システムは、ノイズセンサから受信されたノイズ信号に基づいてノイズ除去信号を生成するように構成されたノイズ除去フィルタと、所定の体積内の第１の位置に配設され、ノイズ除去信号を受信し、所定の体積内のノイズ除去オーディオ信号を変換するように構成されたアクチュエータと、所定の体積内の第２の位置に配設され、基準センサ信号を出力するための基準センサであって、基準センサ信号が、第２の位置における望ましくないノイズを表す、基準センサと、ノイズ除去信号及び基準センサ信号をフィルタ処理してフィルタ出力信号を出力するように構成されたフィルタであって、フィルタ出力信号が、第１の位置及び第２の位置から離れた第３の位置における望ましくないノイズの推定を表す、フィルタと、ノイズ除去オーディオ信号が第３の位置における望ましくないノイズと破壊的に干渉するように、ノイズ除去フィルタをフィルタ出力信号に基づいて調整するように構成された調整モジュールと、を含む。
【０００４】
一実施形態では、フィルタ出力信号は、第１の位置と第３の位置との間の関係の推定に基づき、第２の位置と第３の位置との間の関係の推定に基づく。
【０００５】
一実施形態では、フィルタは、第２の位置と第３の位置との間の関係を推定するように構成された第１のフィルタを備え、第１のフィルタは、基準センサ信号を受信してフィルタ処理し、第１のフィルタ出力信号を出力するように構成され、第１のフィルタ出力信号は、第３の位置における望ましくないノイズの推定である。
【０００６】
一実施形態では、フィルタは、第１の位置と第３の位置との間の関係を推定するように構成された第２のフィルタを更に備え、第２のフィルタは、ノイズ除去信号を受信してフィルタ処理し、第２のフィルタ出力信号を出力するように構成され、第２のフィルタ出力信号は、第３の位置におけるノイズ除去オーディオ信号の推定であり、第２のフィルタ出力信号は、第１のフィルタ出力信号及び第２のフィルタ出力信号が加算されたときに、基準センサにおいて受信されたノイズ除去オーディオ信号に基づいて、第１のフィルタ出力信号の一部分を除去するように構成される。
【０００７】
一実施形態では、フィルタは、第３の位置における推定望ましくないノイズが、未来の時点における第３の位置における望ましくないノイズの推定になるような、少なくとも１つの予測フィルタを備える。
【０００８】
一実施形態では、少なくとも１つの予測フィルタはウィーナフィルタである。
【０００９】
別の態様では、非一時的記憶媒体に記憶されたプログラムコードであって、プロセッサによって実行されたときに、ノイズ除去フィルタを用いて、ノイズセンサから受信されたノイズ信号に基づいてノイズ除去信号を生成する工程と、所定の体積内のノイズ除去オーディオ信号を変換するための、第１の位置に配設されたアクチュエータにノイズ除去信号を提供する工程と、所定の体積内の第２の位置に配設された基準センサから基準センサ信号を受信する工程であって、基準センサ信号が、第２の位置における望ましくないノイズを表す、受信する工程と、フィルタを用いて、ノイズ除去信号及び基準センサ信号をフィルタ処理してフィルタ出力信号を出力する工程であって、フィルタ出力信号が、第１の位置及び第２の位置から離れた第３の位置における望ましくないノイズの推定を表す、出力する工程と、ノイズ除去オーディオ信号が第３の位置における望ましくないノイズと破壊的に干渉するように、ノイズ除去フィルタをフィルタ出力に基づいて調整する工程と、を含む、プログラムコード。
【００１０】
一実施形態では、フィルタ出力信号は、第１の位置と第３の位置との間の関係の推定に基づき、第２の位置と第３の位置との間の関係の推定に基づく。
【００１１】
一実施形態では、フィルタは、第２の位置と第３の位置との間の関係を推定するように構成された第１のフィルタを含み、第１のフィルタは、基準センサ信号を受信してフィルタ処理し、第１のフィルタ出力信号を出力するように構成され、第１のフィルタ出力信号は、第３の位置における望ましくないノイズの推定である。
【００１２】
一実施形態では、フィルタは、第１の位置と第３の位置との間の関係を推定するように構成された第２のフィルタを更に含み、第２のフィルタは、ノイズ除去信号を受信してフィルタ処理し、第２のフィルタ出力信号を出力するように構成され、第２のフィルタ出力信号は、第３の位置におけるノイズ除去オーディオ信号の推定であり、第２のフィルタ出力信号は、第１のフィルタ出力信号及び第２のフィルタ出力信号が加算されたときに、基準センサにおいて受信されたノイズ除去オーディオ信号に基づいて、第１のフィルタ出力信号の一部分を除去するように構成される。
【００１３】
一実施形態では、フィルタは、第３の位置における推定望ましくないノイズが、未来の時点における第３の位置における望ましくないノイズの推定になるような、少なくとも１つの予測フィルタを含む。
【００１４】
一実施形態では、少なくとも１つの予測フィルタはウィーナフィルタである。
【００１５】
ノイズ除去方法であって、ノイズ除去フィルタを用いて、ノイズセンサから受信されたノイズ信号に基づいてノイズ除去信号を生成する工程と、所定の体積内のノイズ除去オーディオ信号を変換するための、第１の位置に配設されたアクチュエータにノイズ除去信号を提供する工程と、所定の体積内の第２の位置に配設された基準センサから基準センサ信号を受信する工程であって、基準センサ信号が、第２の位置における望ましくないノイズを表す、受信する工程と、フィルタを用いて、ノイズ除去信号及び基準センサ信号をフィルタ処理してフィルタ出力信号を出力する工程であって、フィルタ出力信号が、第１の位置及び第２の位置から離れた第３の位置における望ましくないノイズの推定を表す、出力する工程と、ノイズ除去オーディオ信号が第３の位置における望ましくないノイズと破壊的に干渉するように、ノイズ除去フィルタをフィルタ出力に基づいて調整する工程と、を含む、ノイズ除去方法。
【００１６】
一実施形態では、フィルタ出力信号は、第１の位置と第３の位置との間の関係の推定に基づき、第２の位置と第３の位置との間の関係の推定に基づく。
【００１７】
一実施形態では、フィルタは、第２の位置と第３の位置との間の関係を推定するように構成された第１のフィルタを備え、第１のフィルタは、基準センサ信号を受信してフィルタ処理し、第１のフィルタ出力信号を出力するように構成され、第１のフィルタ出力信号は、第３の位置における望ましくないノイズの推定である。
【００１８】
一実施形態では、フィルタは、第１の位置と第３の位置との間の関係を推定するように構成された第２のフィルタを更に備え、第２のフィルタは、ノイズ除去信号を受信してフィルタ処理し、第２のフィルタ出力信号を出力するように構成され、第２のフィルタ出力信号は、第３の位置におけるノイズ除去オーディオ信号の推定であり、第２のフィルタ出力信号は、第１のフィルタ出力信号及び第２のフィルタ出力信号が加算されたときに、基準センサにおいて受信されたノイズ除去オーディオ信号に基づいて、第１のフィルタ出力信号の一部分を除去するように構成される。
【００１９】
一実施形態では、フィルタは、第３の位置における推定望ましくないノイズは、未来の時点における第３の位置における望ましくないノイズの推定になるような、少なくとも１つの予測フィルタを含む。
【００２０】
一実施形態では、少なくとも１つの予測フィルタはウィーナフィルタであり得る。
【００２１】
様々な例では、この方法は、構成中に、第３の位置に配置された誤差センサからの誤差信号を使用してフィルタを調節する工程を更に含んでもよい。
【００２２】
一実施形態では、誤差信号は、アクチュエータにおいて生成されたオーディオ信号に応答して生成される。
【００２３】
１つ以上の実装形態の詳細が、添付図面及び以下の説明において述べられる。他の特徴、目的、及び利点は、本説明及び図面から、並びに特許請求の範囲から明らかになるであろう。
【図面の簡単な説明】
【００２４】
【図１】一実施形態に係るノイズ除去システムの概略図である。
【図２】一実施形態に係るノイズ除去システムの概略図である。
【図３】一実施形態に係るノイズ除去方法のフローチャートである。
【図４】一実施形態に係る調節システムの概略図である。
【図５】一実施形態に係る調節方法のフローチャートである。
【図６】一実施形態に係る調節方法のフローチャートである。
【発明を実施するための形態】
【００２５】
車室などの所定の体積内のノイズを除去するノイズ除去システムは、多くの場合、基準センサを用いて、残留した除去されなかったノイズを表す誤差信号を生成する。この誤差信号は、残留した除去されなかったノイズが最小化されるように、ノイズ除去信号を調整する適応フィルタにフィードバックされる。
【００２６】
しかしながら、いくつかの状況では、基準センサから離れた位置においてノイズを除去することが望ましい。例えば、車両の状況では、基準センサは、ルーフ、ピラー、又はヘッドレスト内に置かれてもよいが、ノイズは、乗員の耳において除去されるべきである。結果として、誤差信号は、基準センサにおける誤差を示すが、乗員の耳におけるものではない。しかしながら、道路ノイズ除去システムの目的は、乗員の耳においてノイズを除去することであるため、これは望ましくない。更に、耳マイク信号は、典型的には適応アルゴリズムが最適に機能するために必要とされるが、乗員の耳の上にマイクロフォンを置くことは非実用的である。
【００２７】
更に、車両及び他の状況におけるノイズ除去オーディオ信号は、音が車室の周辺部に沿って配設されたスピーカから乗員の耳に伝わらなければならないので、典型的には約５ミリ秒遅延する（例えば、ノイズ除去オーディオ信号は、乗員の耳から５フィート離れたところから伝わらなければならず、音の速度は約１フット／ミリ秒である）。乗員によって知覚されるノイズ除去オーディオ信号はもはや現在ではなく、むしろ、既に発生したノイズに向けられたものであるため、この遅延によって最適に除去されなくなる。したがって、ユーザの耳にマイクロフォンを置くことなく、乗員の耳における残留ノイズの未来の値を予測することが当該技術分野において必要とされている。
【００２８】
本明細書に開示される様々な実施形態は、基準センサから離れた位置における残留した除去されなかったノイズを表す誤差信号を推定又は予測するノイズ除去システムを対象とする。推定又は予測は、一実施形態では、即ち、遠隔基準マイクロフォンからの入手可能な情報、並びにそれらの遠隔マイクロフォンと乗員の耳におけるノイズフィールドとの関係の知識、及びノイズ除去システム自体の出力の知識からの入手可能な情報に基づく。未来のサンプルは現在のサンプルと相関しており、したがって現在の状態の知識は未来の状態に関する情報を有するため、ノイズの未来の値を予測することが可能である。
【００２９】
推定又は予測された誤差信号に基づいて、適応フィルタに対する結果として生じる調整は、推定又は予測された誤差信号を最小化し、したがって、基準センサではなく遠隔位置において望ましくないノイズを除去し、遠隔位置において基準センサを効果的に投射する。これは、代替的に、除去ゾーンを、基準センサから、基準センサから離れた位置にシフトすることとして理解され得る。
【００３０】
図１は、基準センサから離れた位置における誤差信号を推定又は予測し、最小化するノイズ除去システム１００の概略図である。具体的には、ノイズ除去システム１００は、車室などの所定の体積１０４内の少なくとも１つの除去ゾーン１０２内の望ましくない音と破壊的に干渉するように構成される。高レベルで、ノイズ除去システム１００の一実施形態は、ノイズセンサ１０６、基準センサ１０８、アクチュエータ１１０、及びコントローラ１１２を含み得る。
【００３１】
一実施形態では、ノイズセンサ１０６は、所定の体積１０４内の、望ましくない音、又は望ましくない音のソースを表すノイズ信号（単数又は複数）１１４を生成するように構成される。例えば、図１に示すように、ノイズセンサ１０６は、車両構造１１６を介して伝達される振動を検出するように装着及び構成された加速度計であってもよい。車両構造１１６を介して伝達される振動は、この構造によって（道路ノイズとして知覚される）車室内の望ましくない音に変換されるので、構造に装着された加速度計は、望ましくない音を表す信号を提供する。
【００３２】
アクチュエータ１１０は、例えば、所定の容積１０４の周辺部の周りの別個の位置に分散されたスピーカであってもよい。一例では、４つ以上のスピーカが車室内に配設されてもよく、４つのスピーカの各々は、車両のそれぞれのドア内に配置され、音を車室内に投射するように構成される。代替的な実施形態では、スピーカは、ヘッドレスト内、又は車室内の他の場所に配置されてもよい。
【００３３】
ノイズ除去信号１１８は、コントローラ１１２によって生成され、所定の体積内の１つ以上のスピーカに提供されてもよく、これはノイズ除去信号１１８を音響エネルギー（即ち、音波）に変換する。ノイズ除去信号１１８の結果として生成される音響エネルギーは、除去ゾーン１０２内の望ましくない音から位相が約１８０°ずれており、したがって、望ましくない音と破壊的に干渉する。ノイズ除去信号１１８から生成された音波と所定の体積内の望ましくないノイズとの組み合わせは、除去ゾーン内のリスナによって知覚されるように、望ましくないノイズの除去をもたらす。
【００３４】
ノイズ除去が所定の体積全体にわたって等しいことが可能ではないため、ノイズ除去システム１００は、所定の体積を有する１つ以上の所定除去ゾーン１０２内で最大のノイズ除去を生成するように構成される。除去ゾーン内のノイズ除去は、望ましくない音の低減を約３ｄＢ以上だけ実現することができる（ただし様々な実施形態では、異なる量のノイズ除去が発生し得る）。更に、ノイズ除去は、約３５０Ｈｚ未満の周波数など、周波数の範囲内の音を除去することができる（ただし他の範囲が可能である）。
【００３５】
所定の体積内に配設された基準センサ１０８は、ノイズ除去信号１１８から生成された音波と所定の体積内の望ましくない音との組み合わせから生じる残留ノイズの検出に基づいて、基準センサ信号１２０を生成する。基準センサ信号１２０は、フィードバックとしてコントローラ１１２に提供される。基準センサ信号１２０は、ノイズ除去信号によって除去されていない残留ノイズを表すため、基準センサ信号１２０は誤差信号として理解され得る。基準センサ１０８は、例えば、車室内に（例えば、ルーフ、ヘッドレスト、ピラー、又は室内の他の場所に）取り付けられた少なくとも１つのマイクロフォンであってもよい。
【００３６】
一実施形態では、コントローラ１１２は、非一時的記憶媒体１２２及びプロセッサ１２４を備えてもよい。一実施形態では、非一時的記憶媒体１２２は、プロセッサ１２４によって実行されたときに、図２〜図６に関連して説明される様々なフィルタ及びアルゴリズムを実装するプログラムコードを記憶し得る。コントローラ１１２は、ハードウェア及び／又はソフトウェア内に実装されてもよい。例えば、コントローラは、ＦＰＧＡ、ＡＳＩＣ、又は他の好適なハードウェアによって実装されてもよい。
【００３７】
図２を参照すると、コントローラ１１２によって実装される複数のフィルタを含むノイズ除去システム１００の一実施形態のブロック図が示される。図示のように、コントローラは、Ｗａｄａｐｔフィルタ１２６、Ｗｃｍｄフィルタ１２８、Ｗｒｅｆフィルタ１３０、及び適応処理モジュール１３２を含む制御システムを定義し得る。
【００３８】
Ｗａｄａｐｔフィルタ１２６は、ノイズセンサ１０６のノイズ信号１１４を受信し、ノイズ除去信号１１８を生成するように構成される。上述のノイズ除去信号１１８は、アクチュエータ１１０に入力され、アクチュエータ１１０において、それは、所定の除去ゾーン１０２内の望ましくない音と破壊的に干渉するノイズ除去オーディオ信号に変換される。Ｗａｄａｐｔフィルタ１２６は、多入力多出力（multi-input multi-output、ＭＩＭＯ）有限インパルス応答（finite impulse response、ＦＩＲ）フィルタなどの任意の好適な線形フィルタとして実装されてもよい。
【００３９】
適応処理モジュール１３２は、（以下に説明するように、Ｗｒｅｆフィルタ１３０によってフィルタ処理され、Ｗｃｍｄフィルタ１２８の出力と加算された）基準センサ信号１３４及びノイズ信号１１４を入力として受信し、これらの入力を使用して、フィルタ更新信号１３６を生成する。フィルタ更新信号１３６は、Ｗａｄａｐｔフィルタ１２６内に実装されるフィルタ係数に対する更新である。更新されたＷａｄａｐｔフィルタ１２６によって生成されるノイズ除去信号１１８は、誤差信号１４６を最小化する。
【００４０】
しかしながら、上述の基準センサ１０８は、除去ゾーンから離れて配置されてもよい。したがって、基準センサによって出力された誤差信号は、除去ゾーン１０２内の残留ノイズを直接示さないことがあるが、代わりに基準センサ１０８における残留ノイズを示し得る。
【００４１】
したがって、除去ゾーン内の残留ノイズを推定又は予測するために（即ち、除去ゾーン１０２内に置かれたセンサの出力を推定又は予測するために）、耳における２つの信号、望ましくないノイズ（例えば、道路ノイズ）に起因する１つの信号、及びラウドスピーカから再生される除去信号に起因する他方の信号は、正確に推定又は予測されなければならない。このような推定又は予測は、一実施形態では、基準センサ信号１２０及びノイズ除去信号１１８を入力として受信し、次いで、センサが除去ゾーン１０２に置かれているのであればこのセンサが何を出力し得るかの最適な推定又は予測を出力する、（ウィーナフィルタなどの）少なくとも１つのフィルタを必要とする（本明細書で使用されるとき、推定は予測であってもよく、即ち、未来の時点における値の推定であってもよいことを理解されよう）。
【００４２】
一実施形態では、フィルタは、図２に示すＷｃｍｄフィルタ１２８及びＷｒｅｆフィルタ１３０として実装されてもよい。図示のように、Ｗｃｍｄフィルタ１２８及びＷｒｅｆフィルタ１３０は、基準センサ信号１２０及びノイズ除去信号１１２をフィルタ処理して、除去ゾーン内に存在する残留ノイズを表す信号の推定又は予測を生成するように構成された予測フィルタであってもよい。Ｗｃｍｄフィルタ１２８及びＷｒｅｆフィルタ１３０は、一実施形態では、各々、ウィーナフィルタとして実装され得る。一例では、ウィーナフィルタは、有限インパルス応答（ＦＩＲ）フィルタ（即ち、有限インパルス応答ウィーナフィルタ）として実装される。しかしながら、ウィーナフィルタの一方又は両方は、代替的に、無限インパルス応答（infinite impulse response、ＩＩＲ）フィルタとして実装されてもよい。更に、ウィーナフィルタが記載されているが、Ｌ１最適フィルタ、Ｈ＿無限遠最適フィルタなど、他の好適なフィルタ又は予測フィルタが利用されてもよい。
【００４３】
Ｗｒｅｆフィルタ１３０は、基準センサ１０８の位置と除去ゾーン１０２との間の関係（例えば、伝達関数）を推定又は予測するように構成される。基準センサ１０８と除去ゾーン１０２との間の関係は、各々の位置間の物理的経路１３８によって決定される。更に、この関係は、所定の体積（例えば、車室）の音響モードによって支配される可能性が高く、時間と共に大きく変化しない。
【００４４】
したがって、Ｗｒｅｆフィルタ１３０は、基準センサ信号１２０を入力として使用して、乗員の耳における残留ノイズの統計的推定を計算し、その信号をフィルタ処理して、出力（即ち、Ｗｒｅｆ出力信号１３４）として推定又は予測を生成するように構成される。Ｗｒｅｆフィルタ１３０は、したがって、以下の式によって特徴付けられ得る。
Ｗref［ｎ］ ＝ Ｔｒｅ［ｎ］              （１）
式中、Ｔｒｅ［ｎ］は、時間ｎにおける基準センサ１０８と除去ゾーン１０２との間の伝達関数である。したがって、Ｗｒｅｆ出力信号１３４は、入力基準センサ信号１２０、及び基準センサ１０８の位置と除去ゾーン１０２との間の推定／予測された関係に基づいて、乗員の耳におけるノイズの推定又は予測を表す。
【００４５】
理想的には、Ｗｒｅｆフィルタ１３０の出力は、上述のように、乗員の耳における残留ノイズのみの統計的推定又は予測である。しかしながら、実際には、基準センサ１０８はまた、同じ所定の体積１０４内に配置されたときに、アクチュエータ１１０によって出力されるノイズ除去オーディオ信号も受信する可能性が高い。
【００４６】
Ｗｃｍｄフィルタ１２８は、アクチュエータ１１０の位置（即ち、ノイズ除去オーディオ信号の原点）と除去ゾーン１０２との間の関係（例えば、伝達関数）を推定又は予測するように構成され、除去ゾーン１０２は、各々の位置間の物理的経路１４０によって決定される。基準センサ１０８と除去ゾーン１０２との間の関係と同様に、アクチュエータ１１０と除去ゾーン１０２との間の関係は、所定の体積（例えば、車室）の音響モードによって支配される可能性が高く、時間と共に大きく変化しない。
【００４７】
上述したように、望ましくない音に加えて、基準センサ１０８は、アクチュエータ１１０から出力されたノイズ除去オーディオ信号を拾い上げる可能性が高い。Ｗｃｍｄフィルタ１２８は、これを補正することにより、除去信号と共に望ましくないノイズの両方の存在下で、正しい推定又は予測が得られるように構成され得る。
【００４８】
したがって、Ｗｃｍｄフィルタ１２８は、除去ゾーンにおけるノイズ除去オーディオ信号１１８の統計的推定を計算するように構成され、基準センサ１０８によって拾い上げられたノイズ除去信号オーディオ信号を削除するように構成される。一実施形態では、Ｗｃｍｄフィルタ１２８は、したがって、以下の式によって特徴付けられ得る。
Ｗcmd［ｎ］＝Ｔde［ｎ］−Ｗref［ｎ］＊Ｔｄｒ［ｎ］              （２）
式中、Ｔｄｅ［ｎ］は、時間ｎにおけるスピーカから除去ゾーン１０２への伝達関数であり、Ｔｄｒ［ｎ］は、時間ｎにおけるアクチュエータ１１０から基準センサ１０８への伝達関数である。したがって、Ｗｍｃｄ出力信号１４２は、除去ゾーンにおけるノイズ除去オーディオ信号１１８の推定又は予測を表し、基準センサ１０８によって拾い上げられたノイズ除去信号オーディオ信号を除去するように構成される。
【００４９】
以下に説明するように、Ｗｒｅｆフィルタ１３０及びＷｃｍｄフィルタ１２８の出力が一緒に加算されたときに、結果は、道路誘起ノイズ及び除去信号の両方に起因する、乗員の耳におけるノイズの（場合によっては、未来の時間における、例えば予測の）推定である。
【００５０】
要約すると、Ｗｒｅｆ及びＷｃｍｄは、基準マイクロフォン及びノイズ除去信号を入力として使用して、乗員の耳における音を推定又は予測するように設計される。他の基準（加重平均二乗誤差、Ｌ１ノルム、Ｈ無限ノルムなど）を最適化する他のフィルタ設計技術を使用することができるのと同様に、平均二乗誤差を最適化するウィーナフィルタを使用することができる。
【００５１】
Ｗｒｅｆフィルタ１３０及びＷｃｍｄフィルタ１２８は、以下に記載される式に従って定義され得る。
【００５２】
任意の最適な推定問題の基本的な配合は、実際の信号と推定との間の差の何らかの尺度を最小化することであり、即ち、
【００５３】
【数１】
2021535435.tif 000003
【００５４】
式中、ｍ［ｎ］は、時間ｎにおける基準センサ信号１２０のベクトルであり（一実施形態では、これは、複数の基準センサ１０８からの複数の基準センサ信号１２０、又は単一の基準センサ１０８からの単一の信号を含み得）、変数の上の「＾」は、それが推定であることを表し、
【００５５】
【数２】
2021535435.tif 000004
【００５６】
はノルムを表し、ｋは、フィルタの予測部分を表す非負の整数である（即ち、我々の現在の推定は、未来における耳マイクのｋ個のサンプルの推定である）。Ｈ∞ノルム、Ｌ1ノルムなど、多くのノルムを使用することができる。一実施形態では、ウィーナフィルタのタイプと見なすことができる、Ｌ2ノルムが使用され得る。具体的には、以下を使用することができる。
【００５７】
【数３】
2021535435.tif 000005
【００５８】
ここで、コスト関数が定義されたので、特定の問題は、一実施形態では、図２において使用されるフィルタが計算され得るように、ウィーナフィルタ設計の形態でキャスティングされてもよい。第１の工程は、利用可能な変数、即ち、（例えば、車両のルーフ上に位置する）基準センサ信号１２０及びアクチュエータ１１０によって生成されたノイズ除去オーディオ信号に関して、ノイズ除去ゾーン１０２における残留した望ましくないノイズの推定を表現することである。言うまでもなく、他のノイズの所定された体積１０４又は除去ゾーン１０２があってもよいが、他の無相関ノイズはノイズ除去システム１００に影響を与えないため、望ましくないノイズ（例えば、道路ノイズ）及びノイズ除去信号１１２に関連する信号のみが考慮される必要がある。そのため、定義されるように、推定は、基準センサ信号１２０、ｍ［ｎ］、及びノイズ除去信号１１２、ｕ［ｎ］を線形フィルタ処理することによって得られるようになる。
【００５９】
【数４】
2021535435.tif 000006
【００６０】
又は、より多くの「行列」タイプの表記を使用するために、
【００６１】
【数５】
2021535435.tif 000007
【００６２】
ここで、問題は次のように述べられ得る：以下によって与えられるコスト関数を最小化するような、フィルタＷｒｅｆ［ｎ］及びＷｃｍｄ［ｎ］を見つけること
【００６３】
【数６】
2021535435.tif 000008
【００６４】
これは、ここでウィーナフィルタ設計として配合され、標準的な解決技術が使用され得る。実際には、以下の図５〜図６に関連して説明されるように、フィルタＷｒｅｆ［ｎ］及びＷｃｍｄ［ｎ］を生成するためにデータを収集することができる。
【００６５】
図２に戻ると、図示のように、Ｗｒｅｆ出力信号１３４及びＷｃｍｄ１４２出力信号は、加算ブロック１４４において加算されてもよい。２つのフィルタ処理された信号の出力１４６は、基準センサ１０８から離れている除去ゾーン１０２における残留した除去されなかった音の推定又は予測を表す。加算ブロック１４４の出力１４６は適応処理モジュール１３２に入力される。フィルタ更新信号１３６は、次いでＷａｄａｐｔフィルタ１２６に供給されてもよく、Ｗａｄａｐｔフィルタ１２６は、基準センサ１０８の位置ではなく、除去ゾーン１０２内の望ましくない音の推定又は予測に基づいてノイズ除去信号１１８を生成して、基準信号ではなく推定又は予測された誤差信号を最小化する。この車両状況では、これにより、乗員の耳における残留ノイズの更なる最小化がもたらされる。
【００６６】
ノイズ除去システム１００は、単入力／単出力制御システム又は多入力／多出力制御システムであってもよい。ノイズ除去システム１００は、任意の数のノイズセンサ１０６、基準センサ１０８、スピーカ１１０、及び除去ゾーン１０２を含んでもよい。例えば、ノイズ除去システムは、各基準センサ１０８と各除去ゾーン１０２との間の関係を推定又は予測する予測フィルタを含むように拡張されてもよい。同様に、ノイズ除去システム１００は、各基準センサ１０８と各除去ゾーン１０２との間の関係を推定又は予測する予測フィルタを含むように拡張されてもよい。
【００６７】
更に、図２に示すノイズ除去システム１００は、単に制御システムの一実施形態として提供されることを理解されたい。実際には、制御システムは、Ｗｃｍｄフィルタ１２８及びＷｒｅｆフィルタ１３０によって生成される除去ゾーンにおける推定又は予測された望ましくないノイズを最小化することができる任意の好適な適応制御システム（フィードフォワード又はフィードバック）であってもよい。
【００６８】
図３は、基準センサから離れた位置にある除去ゾーン内の望ましくないノイズを推定及び除去するためのノイズ除去方法２００のフローチャートを示す。方法２００は、図１〜図２に関連して説明されたノイズ除去システム１００などの制御システムによって実装されてもよい。
【００６９】
工程２０２において、ノイズ除去信号が生成される。ノイズ除去信号は、Ｗａｄａｐｔフィルタ１２６などの適応フィルタを使用して生成され得るが、Ｗｃｍｄフィルタ１２８及びＷｒｅｆフィルタ１３０によって推定又は予測されるように、除去ゾーンにおける望ましくないノイズを最小化することができる任意の好適な適応フィルタ（フィードフォワード又はフィードバック）を使用してもよいことを理解されたい。
【００７０】
工程２０４において、所定の体積内のノイズ除去オーディオ信号を変換するための、第１の位置に配設されたスピーカなどのアクチュエータ１０８にノイズ除去信号が提供される。上述したように、ノイズ除去オーディオ信号は、例えば、乗員の予測される位置に対応する第３の位置に配設された除去ゾーン内の望ましくない音から位相が約１８０°ずれており、したがって、望ましくない音と破壊的に干渉し得る。ノイズ除去信号から生成された音波と所定の体積内の望ましくないノイズとの組み合わせは、除去ゾーン内のリスナによって知覚されるように、望ましくないノイズの除去をもたらす。除去ゾーン内のノイズ除去は、望ましくない音の低減を約３ｄＢ以上だけ実現することができる（ただし様々な実施形態では、異なる量のノイズ除去が発生し得る）。更に、ノイズ除去は、約３５０Ｈｚ未満の周波数など、周波数の範囲内の音を除去することができる（ただし他の範囲が可能である）。
【００７１】
工程２０６において、所定の体積内の第２の位置に配設された基準センサから基準センサ信号が受信され、第１の基準センサ信号は、第２の位置における望ましくない音を表す。基準センサ信号は、ノイズ除去信号によって除去されない残留ノイズを表すので、基準信号は、適応フィルタにフィードバックとして提供される誤差信号として理解され得る。更に、基準センサは、除去ゾーンから離れた第２の位置に配置されてもよい。例えば、基準センサは、上述したように、車室のヘッドレスト、ピラー、又はルーフ内に配置されてもよいが、除去ゾーンは、車両内の乗員の耳に配置されてもよい。したがって、基準センサによって出力される誤差信号は、除去ゾーンにおけるノイズ除去の品質を直接示さず、むしろ、基準センサの位置におけるノイズ除去の品質を示し得る。
【００７２】
工程２０８において、フィルタを用いて、ノイズ除去信号及び基準センサ信号がフィルタ処理されてフィルタ出力信号が出力され、フィルタ出力信号は、第１の位置及び第２の位置から離れた第３の位置における望ましくないノイズの推定又は予測を表す。フィルタ出力信号は、第１の位置と第３の位置との間の関係の推定又は予測に基づき、第２の位置と第３の位置との間の関係の推定又は予測に基づく。
【００７３】
例えば、フィルタは、第２の位置と第３の位置との間の関係を推定又は予測するように構成された第１のフィルタを備えてもよく、第１のフィルタは、基準センサ信号を受信してフィルタ処理し、第１のフィルタ出力信号を出力するように構成され、第１のフィルタ出力信号は、第３の位置における望ましくないノイズの推定又は予測である。例えば、第１のフィルタは、基準センサの位置と除去ゾーンとの間の関係（例えば、伝達関数）を推定又は予測するように構成されてもよい。基準センサと除去ゾーンとの間の関係は、各々の位置間の物理的経路によって決定される。したがって、第１のフィルタは、基準センサ信号を受信し、かつ除去ゾーンにおける残留ノイズの推定又は予測を表すフィルタ処理された出力信号を出力するように構成される。
【００７４】
フィルタはまた、第１の位置と第３の位置との間の関係を推定又は予測するように構成された第２のフィルタを備えてもよく、第２のフィルタは、ノイズ除去信号を受信してフィルタ処理し、第２のフィルタ出力信号を出力するように構成され、第２のフィルタ出力信号は、第３の位置におけるノイズ除去オーディオ信号の推定又は予測である。例えば、第２のフィルタは、アクチュエータの位置（即ち、ノイズ除去オーディオ信号の原点）と除去ゾーンとの間の関係（例えば、伝達関数）を予測するように構成される。アクチュエータと除去ゾーンとの間の関係は、各々の位置間の物理的経路によって決定される。したがって、第２のフィルタは、ノイズ除去信号を受信し、かつ除去ゾーンにおけるノイズ除去オーディオ信号の推定又は予測を表すフィルタ処理された出力信号を出力するように構成される。第２のフィルタは、基準センサによって受信されたノイズ除去オーディオ信号を補正するように更に構成されてもよい。換言すれば、第２のフィルタ出力信号は、第１のフィルタ出力信号及び第２のフィルタ出力信号が組み合わされたときに、基準センサにおいて受信されたノイズ除去オーディオ信号に基づいて第１のフィルタ出力信号の一部分を除去するように構成される。
【００７５】
工程２１０において、フィルタ出力信号に基づいてノイズ除去フィルタが調整されることにより、ノイズ除去オーディオ信号は、第３の位置における望ましくない音と破壊的に干渉し、推定又は予測された誤差信号が最小化される。例えば、第１のフィルタ出力信号及び第２のフィルタ出力信号は適応アルゴリズムに供給されてもよく、この適応アルゴリズムは、適応フィルタを更新することにより、基準センサの位置ではなく、除去ゾーン内の推定又は予測された残留音に基づいてノイズ除去信号を生成する。
【００７６】
図４は、一実施形態に係る、Ｗｃｍｄフィルタ１２８及びＷｒｅｆフィルタ１３０を調節するための調節システム３００を示す。図示のように、ノイズ除去システム１００のような調節システム３００は、基準センサ１０８及びアクチュエータ１１０を含む。加えて、調節システム３００は誤差センサ３０２を含む。誤差センサ３０２は、例えばマイクロフォンであってもよいが、位置におけるオーディオ信号を検出するのに好適な他のセンサが使用されてもよい。誤差センサは、除去ゾーンの所望の位置に（例えば、乗員の耳に）配置される。調節システム３００は、調節コントローラ３０４を更に含む。調節コントローラ３０４は、例えば、プロセッサ３０８によって実行されたときに、図５〜図６に示される工程を実施するプログラムを記憶するのに好適な非一時的記憶媒体３０６を含んでもよい。コントローラ３０４は、コントローラ１１２であってもよく、又は別個のコントローラとして実装されてもよい。様々な実施形態では、コントローラ３０４は、一般的なプロセスコンピュータ、ＦＰＧＡ、ＡＳＩＣ、又は図５〜図６に関連して説明される工程を実行するのに好適な任意の他のコントローラによって実装されてもよい。
【００７７】
更に、調節コントローラ３０４は、アクチュエータ１１０においてオーディオ信号に変換されるコマンド信号３１２を生成してもよく、調節コントローラは、基準センサ１０８から基準センサ信号１２０を受信し、誤差センサ３０２から誤差センサ信号３１０を受信してもよい。
【００７８】
図５及び図６は、概して、データを収集し、Ｗｃｍｄフィルタ１２８及びＷｒｅｆフィルタ１３０というフィルタを生成し、上記の式（９）のコスト関数を最小化するための代替的なアプローチを示す。
【００７９】
まず図５を参照すると、データを収集し、Ｗｃｍｄフィルタ１２８及びＷｒｅｆフィルタ１３０というフィルタを生成するための第１の方法４００が示される。
【００８０】
工程４０２において、所定の体積１０４内の代表的な望ましくないノイズが生成され得る。これは、車両の実施形態では、道路を下って車両を駆動することによって達成され得る。
【００８１】
工程４０２と同時に発生する工程４０４において、コマンド信号３１２がアクチュエータ１１０内に注入され得る。一実施形態では、コマンド信号３１２は、道路ノイズ信号から統計的に独立したコンピュータ生成されたランダム信号である。このランダム信号は、そのエネルギーが周波数単位の基準で道路ノイズと同等のレベルになるように、スペクトル的に成形されてもよい。以下で説明するように、（道路及び速度依存性の）ノイズ成形フィルタは、プロセッサ３０８によって実装され、コマンド信号３１２に適用されてもよい。ノイズ成形フィルタは、代表的な望ましくないノイズをオーバードライブしないレベルにおいてアクチュエータ１１０を駆動するように構成されてもよい。
【００８２】
工程４０２及び４０４と同時に発生する工程４０６において、代表的な望ましくないノイズ及びアクチュエータ１１０からの出力オーディオ信号から生じたオーディオ信号が、基準センサ１０８及び誤差センサ３０２によって検出される。各々からの得られた出力信号、基準センサ信号１２０及び誤差センサ信号３１０は、例えば、非一時的記憶媒体３０６に記録されてもよい。
【００８３】
工程４０８において、注入されたコマンド信号３１２、並びに記録された基準センサ信号１２０及び誤差センサ信号３１０を使用して、Ｗｃｍｄフィルタ１２８及びＷｒｅｆフィルタ１３０というフィルタを生成して、上述の式（９）のコスト関数を最小化することができる。Ｗｃｍｄフィルタ１２８及びＷｒｅｆフィルタ１３０を生成することは、当該技術分野において既知の標準的な解決技術によって達成され得る。
【００８４】
しかしながら、方法４００は、説明されるように、プロセッサ３０８によって実装されるノイズ成形フィルタが道路及び速度依存性であるため、反復手法を必要とする。したがって、図６は、代替的な実施形態において、工程４０２、４０４、及び４０６に記載されるように同時に行われるのとは対照的に、非同時にアクチュエータ１１０にコマンド信号３１２を注入することによって達成され得る方法５００を示す。道路ノイズデータ収集及びコマンド信号データ収集を分離することにより、方法４００の反復処理が回避される。
【００８５】
工程５０２において、所定の体積１０４内の代表的な望ましくないノイズが生成され得る。これは、車両の実施形態では、道路を下って車両を運転することによって達成され得る。
【００８６】
工程５０２と同時に発生する工程５０４において、代表的な望ましくないノイズが、基準センサ１０８及び誤差センサ３０２によって検出され、各々からの得られた出力信号、基準センサ信号１２０及び誤差センサ信号３１０は、例えば、非一時的記憶媒体３０６に記録されてもよい。
【００８７】
工程５０２及び５０４と同時に発生する工程５０６において、コマンド信号３１２が生成され、アクチュエータ１１０に注入されてもよい。（コマンド信号３１２は、以下に記載されるように、Ｔｄｅ［ｎ］及びＴｄｒ［ｎ］を生成するのに好適な任意のコマンド信号であってもよい。）更に、工程５０６は、好ましくは、任意の他の望ましくないノイズを最小化して行われる。例えば、車両の実施形態では、工程５０６は、車両エンジンが動くことのない、（静かなガレージなどの）静かな空間内で実施されてもよい。
【００８８】
工程５０６と同時に発生する工程５０８において、入力コマンド信号に応答してアクチュエータ１１０によって生成されたオーディオ信号が、基準センサ１０８及び誤差センサ３０２によって検出される。各々からの得られた出力信号、基準センサ信号１２０及び誤差センサ信号３１０は、例えば、非一時的記憶媒体３０６に記録されてもよい。
【００８９】
工程５１０において、Ｗｒｅｆフィルタ１３０は、工程５０４の記録されたデータを使用して生成されてもよく、Ｗｃｍｄフィルタ１２８は、分析的に決定されてもよい。より具体的には、記録された基準センサ信号１２０及び誤差センサ信号３１０を使用して、Ｗｒｅｆフィルタ１３０、したがって式（２）のＷｒｅｆ［ｎ］を導き出すことができる。式（２）の残りの項、Ｔｄｅ［ｎ］及びＴｄｒ［ｎ］は、任意の標準的なシステム識別技術によって、工程５０６の記録されたデータを使用して得ることができる。式（２）のこれら３つの項が知られると、Ｗｃｍｄフィルタ１２８は分析的に決定され得る。したがって、方法５００は、フィルタ処理されたコマンド信号３１２が道路ノイズデータ収集工程５０２の間に同時に再生されることを必要とせずに実施され得、したがって、速度及び路面の両方に依存する室内の道路ノイズレベルと信号３１２とを反復的にバランスさせる必要が回避される。
【００９０】
方法４００及び５００は、任意の数のスピーカ、誤差センサ、若しくは基準センサに対して反復されるか、又は他の方法で実施されてもよいことを理解されたい。
【００９１】
本明細書に記載される機能又はその部分、及びその様々な修正（以下「機能」）は、少なくとも部分的にコンピュータプログラム製品（例えば、１つ以上のデータ処理装置、例えば、プログラム可能プロセッサ、コンピュータ、複数のコンピュータ、及び／若しくはプログラム可能論理構成要素、による実行のための、又はその動作を制御するための、１つ以上の非一時的機械可読媒体又は記憶デバイスなどの情報担体において有形に具現化されたコンピュータプログラム）を介して実装され得る。
【００９２】
コンピュータプログラムは、コンパイラ型言語又はインタープリタ型言語を含む任意の形態のプログラム言語で書くことができ、それは、スタンドアローンプログラムとして、又はコンピューティング環境での使用に好適なモジュール、構成要素、サブルーチン、若しくは他のユニットとして含む任意の形態で配備され得る。コンピュータプログラムは、１つのコンピュータ上で、若しくは１つのサイトにおける複数のコンピュータ上で実行されるように配備されるか、又は複数のサイトにわたって配信されて、ネットワークによって相互接続され得る。
【００９３】
機能の全部又は一部を実装することと関連した動作は、較正プロセスの機能を実施するために１つ以上のコンピュータプログラムを実行する１つ以上のプログラム可能なプロセッサによって実施され得る。機能の全部又は一部は、特殊目的論理回路、例えば、ＦＰＧＡ及び／又はＡＳＩＣ（application-specific integrated circuit、特定用途向け集積回路）として実装され得る。
【００９４】
コンピュータプログラムの実行に好適なプロセッサとしてはまた、例として、一般的及び特殊目的マイクロプロセッサの両方、並びに任意の種類のデジタルコンピュータの任意の１つ以上のプロセッサが挙げられる。一般的に、プロセッサは、読み出し専用メモリ、ランダムアクセスメモリ、又はそれらの両方から命令及びデータを受信することになる。コンピュータの構成要素は、命令を実行するためのプロセッサ、並びに命令及びデータを記憶するための１つ以上のメモリデバイスを含む。
【００９５】
本明細書において、いくつかの発明実施形態について記述し説明してきたが、当業者であれば、様々な他の手段、及び／又は、機能を実施し及び／若しくは結果を得るための構造、及び／又は、本明細書に記載の１つ以上の利点を容易に思いつくことができ、並びに、こうした変更形態及び／又は変形形態の各々は、本明細書に記載の発明実施形態の範囲内にあると見なすことができる。より一般的には、当業者であれば、本明細書に記載のパラメータ、寸法、材料、及び構成の全てが例示的であること、実際のパラメータ、寸法、材料、及び／又は構成は、特定のアプリケーション又は本発明の教示が使用されるアプリケーションに依存するであろうことを容易に理解するであろう。当業者であれば、わずかなありふれた実験を行うだけで、本発明に記載されている特定の発明実施形態に相当する多くの等価物を認識又は確認することができるであろう。したがって、前述の実施形態は、単なる例として提示されたものであり、添付の特許請求の範囲及びその等価物の範囲内で、明確に記載され特許請求された以外の別のやり方で発明実施形態を実践することができるということを理解されたい。本開示の発明実施形態は、本明細書に記載の各個々の特徴、システム、物品、材料、及び／又は方法を対象とする。更に、２つ以上のこうした特徴、システム、物品、材料、及び／又は方法のいかなる組む合わせも、こうした特徴、システム、物品、材料、及び／又は方法が相互に矛盾することのない場合、本開示の発明の範囲内に含まれる。
【符号の説明】
【００９６】
１００  ノイズ除去システム
１０２  ノイズ除去ゾーン
１０４  所定の容積
１０６  ノイズセンサ
１０８  基準センサ
１１０  アクチュエータ
１１２  コントローラ
１１４  ノイズ信号
１１６  車両構造
１１８  ノイズ除去信号
１２０  基準センサ信号
１２２  非一時的記憶媒体
１２４  プロセッサ
１２６  フィルタ
１２８  フィルタ
１３０  フィルタ
１３２  適応処理モジュール
１３４  出力信号
１３６  フィルタ更新信号
１４２  出力信号
１４４  加算ブロック
１４６  出力
３００  調節システム
３０２  誤差センサ
３０４  コントローラ
３０６  非一時的記憶媒体
３０８  プロセッサ
３１２  コマンド信号
【図１】
2021535435.tif 000009
【図２】
2021535435.tif 000010
【図３】
2021535435.tif 000011
【図４】
2021535435.tif 000012
【図５】
2021535435.tif 000013
【図６】
2021535435.tif 000014
【国際調査報告】
2021535435.tif 000015
2021535435.tif 000016
2021535435.tif 000017